(57)【要約】【課題】比較的簡易な構成により昇降メンバの浮上を阻止することができ、昇降メンバや固定メンバの寸法精度、組立精度の緩和を図ることができる便器上面設備を提供する。【解決手段】便座ボックス浮上ユニット１０は、上下方向に延在したガイド本体１４ｃ，１４ｃと、該ガイド本体１４ｃ，１４ｃに沿ってフロントベースプレート３ａと一体に上下方向に移動可能なスライダ３ｄとからなるガイド装置を有している。ガイド本体１４ｃ，１４ｃの上端部同士の間に架設された架材１４ｄに下方から当接可能な突出部１６ａを有したストッパ１６がスライダ３ｄに取り付けられている。フロントベースプレート３ａが下降限に位置しているときに突出部１６ａが架材１４に引掛かることによりスライダ３ｄの上方への移動が阻止される。【選択図】図５
2005068819.tif 000002
【特許請求の範囲】
【請求項１】
洋風便器の後部上面に設置される便器上面設備であって、
該洋風便器に固定される固定メンバと、
該固定メンバに対し昇降可能に取り付けられた昇降メンバと、
該昇降メンバの昇降を案内するガイド装置と
を有する便器上面設備において、
該ガイド装置に、該昇降メンバの浮上を阻止するストッパ手段が設けられており、
該ストッパ手段による浮上阻止を解除操作する操作手段を備えたことを特徴とする便器上面設備。
【請求項２】
請求項１において、該操作手段は、該便器上面設備の外面に配置されていることを特徴とする便器上面設備。
【請求項３】
請求項２において、該操作手段を隠すカバーが設けられていることを特徴とする便器上面設備。
【請求項４】
請求項２又は３において、該操作手段は、少なくとも浮上阻止を解除して浮上を許容する状態にあるときに、手を掛けて該昇降メンバを引き上げ得るよう該昇降メンバに設けられていることを特徴とする便器上面設備。
【請求項５】
請求項４において、該操作手段は該昇降メンバの外面から突出可能に設けられていることを特徴とする便器上面設備。
【請求項６】
請求項１ないし５のいずれか１項において、該操作手段は便器上面設備の上面に設けられていることを特徴とする便器上面設備。
【請求項７】
請求項１ないし５のいずれか１項において、該操作手段は便器上面設備の側面に設けられていることを特徴とする便器上面設備。
【請求項８】
請求項１ないし７のいずれか１項において、該ガイド装置は、上下方向に移動するスライダと、上下方向に延在し、該スライダが係合したガイド本体とを備えており、
前記ストッパ手段は、該スライダが該ガイド本体に沿って移動することを阻止するものであることを特徴とする便器上面設備。
【発明の詳細な説明】
【技術分野】
【０００１】
本発明は、洋風便器の後部上面に設置される便座ボックス、タンクカバー等の便器上面設備に係り、特に昇降式の便器上面設備に関する。
【背景技術】
【０００２】
洋風便器の上面に設置された便座は、便座ボックスあるいはタンクカバーなどの部材を介して洋風便器に対し俯仰方向に回動可能に取り付けられている。
【０００３】
この便座ボックス等と洋風便器上面との間に尿などの汚れが染み込んで臭気の原因となり易い。そこで、便座ボックスを洋風便器に対し上下動可能とし、洋風便器の清掃時に便座ボックスを便座と共に上方に移動（浮上）させるようにしたものが提案されている。
【０００４】
例えば、特開２００２−４３８３号公報には、前部を含む上側部分を昇降可能とした便座ボックスが記載されている。また、特開２００２−２４２２７３号公報及び特開平９−２８６１９号公報には、昇降可能なタンクカバーが記載されている。
【０００５】
この特開２００２−４３８３号公報の図１０には、便座ボックスの浮上を阻止するために、着脱式のキーを設けることが記載されている。便器上面設備が製作工場から出荷されるときには、このキーを装着して浮上を阻止しておき、トイレルームに設置された後に該キーを抜き取る。
【０００６】
上記の特開２００２−２４２２７３号公報には、ロータンクカバーの両側面の下端部に浮上阻止用ロックレバーを設けておき、浮上時にはこのロックレバーによるロックを解除させる構成が記載されている。
【０００７】
上記特開平９−２８６１９号公報には、ロータンクカバーの昇降を案内するガイド機構として、スライダ及び該スライダが摺動するガイドとを備えたものが記載されている。
【特許文献１】特開２００２−４３８３号公報
【特許文献２】特開２００２−２４２２７３号公報
【特許文献３】特開平９−２８６１９号公報
【発明の開示】
【発明が解決しようとする課題】
【０００８】
上記の特開２００２−４３８３号及び特開２００２−２４２２７３号では、浮上部材と固定部材とをキー又はロックレバーで連結するようにしているため、浮上部材が下降限まで下降した状態においてキー又はロックレバーをキー孔やレバー係止孔に正確に合致させる必要があり、部材寸法精度や組立精度を高くする必要があり、コスト高になりがちである。
【０００９】
本発明は、比較的簡易な機構により昇降メンバの浮上を阻止することができ、昇降メンバや固定メンバの寸法精度、組立精度の緩和を図ることができる便器上面設備を提供することを目的とする。
【課題を解決するための手段】
【００１０】
本発明の便器上面設備は、洋風便器の後部上面に設置される便器上面設備であって、該洋風便器に固定される固定メンバと、該固定メンバに対し昇降可能に取り付けられた昇降メンバと、該昇降メンバの昇降を案内するガイド装置とを有する便器上面設備において、該ガイド装置に、該昇降メンバの浮上を阻止するストッパ手段が設けられており、該ストッパ手段による浮上阻止を解除操作する操作手段を備えたことを特徴とするものである。
【００１１】
かかる本発明の便器上面設備にあっては、昇降メンバの昇降を案内するガイド装置にストッパ手段を設けており、このガイド装置は、それ自体が精度良く構成されているため、昇降メンバが下降した場合に確実にストッパ手段が係合する。従って、本発明によると、昇降メンバ及び固定メンバの寸法精度、組立精度を緩和することができる。
【００１２】
本発明では、ストッパ手段の浮上阻止を解除するための操作手段を便器上面設備の外面に設けることが好ましい。これにより、解除操作を容易に行うことができる。なお、この操作手段をカバーで隠すよう構成してもよく、これにより美観が向上する。また、操作手段の誤操作や悪戯が防止される。
【００１３】
本発明では、操作手段は、少なくとも浮上阻止を解除して浮上を許容する状態にあるときに、手を掛けて昇降メンバを引き上げ得るよう該昇降メンバに設けられてもよく、特にこの操作手段が昇降メンバの外面から突出可能に設けられていることが好ましい。このように構成した場合、操作手段に手を掛けて昇降メンバを容易に浮上させることができる。
【００１４】
本発明では、操作手段は便器上面設備の上面に設けられてもよく、側面に設けられてもよい。
【００１５】
本発明の一態様においては、ガイド装置は、上下方向に移動するスライダと、上下方向に延在し、該スライダが係合したガイド本体とを備えており、ストッパ手段は、該スライダが該ガイド本体に沿って移動することを阻止するよう構成されている。このようにスライダの移動を阻止するよう構成することにより、昇降メンバの浮上を確実に阻止することができる。
【発明の効果】
【００１６】
本発明によると、比較的簡易な構成により昇降メンバの浮上を阻止することができると共に、昇降メンバや固定メンバの寸法精度、組立精度の緩和を図ることができる便器上面設備が提供される。
【発明を実施するための最良の形態】
【００１７】
以下、図面を参照して実施の形態について説明する。
【００１８】
図１は実施の形態に係る便器上面設備の斜視図であり、（ａ）図は把手部材を倒した状態を示し、（ｂ）図は把手部材を起した状態を示している。図２は図１の便器設備の側面図であり、（ａ）図は便座ボックスの浮上前の状態を示し、（ｂ）図は便座ボックスの浮上後の状態を示している。図３（ａ）は便座ボックスの浮上時における透視斜視図であり、図３（ｂ）はこのときのガイド装置及びストッパの斜視図である。図４は図３（ｂ）と反対側から見たガイド装置及びストッパの斜視図である。また、図５（ａ）は便座ボックス浮上阻止時におけるガイド装置及びストッパの斜視図であり、図５（ｂ），（ｃ）は、それぞれ便座ボックス浮上阻止時及び阻止解除時におけるガイド装置及びストッパの側面図である。
【００１９】
陶器製の洋風便器本体１の後部上面に便座ボックス２が昇降可能に設置されており、この便座ボックス２に便座２ａ及び便蓋２ｂが起倒方向回動可能に取り付けられている。
【００２０】
この実施の形態では、便座ボックス２は、前部に配置された昇降可能なフロントベースプレート３ａと、無底箱状の合成樹脂製のカバー３ｂとによって外殻が形成されている。図示は省略するが、このフロントベースプレート３ａに、人体臀部を温水で洗浄するための温水洗浄ノズル及びモータ駆動式温水切替弁装置が設置されている。また、このフロントベースプレート３ａの底面には、便座ボックス２が浮上したときにその下側領域Ｓを照らすための照明３ｃが設けられている。この照明３ｃとしてはＬＥＤが好適であるが、これに限定されない。
【００２１】
また、このフロントベースプレート３ａ上には、便座２ａ及び便蓋２ｂを開閉させる電動開閉ユニット、人体臀部に向けて温風を吹き出してその乾燥を行う温風ファン、便鉢内から臭気を含んだ空気を吸引して脱臭する脱臭ファン及び脱臭カートリッジが設けられている。カバー３ｂには、便器本体１に近づいたり着座した人体を検知するための人体検知センサが設けられている。
【００２２】
便器本体１の最後部上面には、カバー３ｂの後部側が上方から被さるようにリアベースプレート４ａが設けられている。このリアベースプレート４ａには、前記温水洗浄ノズルへ温水を供給するためのヒータ付き温水タンク４ｂ（図２にのみ図示）、便座ボックス２を押し上げたり、降下させたりする際の動きを緩衝させるための浮上ユニット１０のほか、図示はしないがヒータ及び電動ファンよりなる部屋暖房ファン、電源基板、制御回路基板、便鉢やトラップ部へ水を供給するためのバルブユニット等が設けられている。
【００２３】
この浮上ユニット１０は、図４に示す通り、ロータリダンパ１１と、該ロータリダンパ１１の回転軸に固着されたピニオン１２と、該ピニオン１２が噛合したラック１３とを有する。ロータリダンパ１１は、フロントベースプレート３ａに固着されている。リアベースプレート４ａからは浮上ユニット１０のフレーム１４が立設され、該フレーム１４にラック１３が固設されている。符号１４ａはこのフレーム１４をリアベースプレート４ａに固定するためのブラケットを示し、符号１４ｂは、このフロントベースプレート１４の転倒防止用の足片を示している。この足片１４ｂは、該フレーム１４の基端部から洋風便器1の後部上面に沿って前方に延出している。
【００２４】
このフレーム１４には上下方向に延在した１対のレール状のガイド本体１４ｃ，１４ｃが設けられており、フロントベースプレート３ａに設けられたスライダ３ｄが該ガイド本体１４ｃ，１４ｃに沿って上下方向に移動可能とされている。このスライダ３ｄに、便座ボックス２の浮上を阻止するためのストッパ１６が設けられている。
【００２５】
この実施の形態では、リアベースプレート４ａが固定メンバであり、フロントベースプレート３ａ及びカバー３ｂが昇降メンバである。また、スライド３ｂとガイド本体１４ｃ，１４ｃとが該昇降メンバの昇降を案内するガイド装置である。
【００２６】
ストッパ１６は、この実施の形態では、バネ鋼等の弾性材料よりなる細長い板バネ状部材である。このストッパ１６は、図３及び図５に示すように、上下方向に延在し且つスライダ３ｄから上方に延出するように配置され、下端側が該スライダ３ｄの前面に固着されている。
【００２７】
この実施の形態では、ストッパ１６は略クランク形に折曲した側面視形状のものである。即ち、このストッパ１６の長手方向の途中部分には、該ストッパ１６の板面から略直角に後方に向って突出する突出部１６ａが設けられている。
【００２８】
前記ガイド本体１４ｃ，１４ｃは、この実施の形態ではスライダ３ｄの左右両サイドに設けられており、該スライダ３ｄの左右両側部が該ガイド本体１４ｃ，１４ｃに係合している。これらのガイド本体１４ｃ，１４ｃの上端部同士を跨ぐようにして架材１４ｄが架設されている。突出部１６ａは、図５（ｂ）に示すように、フロントベースプレート３ａが下降限に配置されているときに、下方からこの架材１４ｄに当接する。このとき、ストッパ１６の該突出部１６ａよりも上端側は、該架材１４ｄよりも上位となる高さまで延在している。
【００２９】
このように、フロントベースプレート３ａが下降限にあるときにストッパ１６の突出部１６ａが架材１４ｄに下方から当接することにより、スライダ３ｄがガイド本体１４ｃに沿って上方へ移動することが阻止され、これにより、フロントベースプレート３ａの浮上が阻止される。
【００３０】
この実施の形態では、カバー３ｂの上面に、このストッパ１６によるフロントベースプレート３ａの浮上阻止状態を解除操作するための操作手段として把手部材５が設けられている。この把手部材５は、１対の脚部５ｋを有した略コ字形状である。各脚部５ｋ，５ｋの基端部同士の間には支軸５ａが架設されており、この支軸５ａにより、各脚部５ｋ，５ｋの基端部がカバー３ｂに回動可能に取り付けられている。該支軸５ａの長手方向の途中部分には、把手部材５が回動されたときにこれと一体に回動するカム１８が設けられている。このカム１８は、浮上ユニット１０のフレーム１４の上方に配置されている。
【００３１】
カバー３ｂの上面には、この把手部材５が収容されるコ字形状の凹所６が設けられている。把手部材５を前方に倒すと、把手部材５は凹所６内にほぼすっぽりと納まり、把手部材５を約９０°後方に回動させて起立させると、該把手部材５がカバー３ｂの上面から上方に突出する。
【００３２】
このカム１８は、把手部材５が凹所６内に倒れているときには、図５（ｂ）に示すようにカム面１８ａが支軸５ａから下方に垂下した姿勢となり、把手部材５が起立したときには、図５（ｃ）に示すように、カム面１８ａがストッパ１６の上端側の板面に当接して該ストッパ１６の上端側を前方に押圧した姿勢となるように配置されている。
【００３３】
このようにストッパ１６の上端側が該カム面１８ａによって前方に押圧されることにより、図５（ｃ）の通り、該ストッパ１６が前方に撓んで突出部１６ａが架材１４ｄから外れ、スライダ３ｄがガイド本体１４ｃに沿って上方へ移動することが許容されるようになる。なお、フロントベースプレート３ａが下降限に位置している状態で把手部材５が凹所６内に倒されると、カム面１６ａによるストッパ１６上端側の押圧が解除され、図５（ｂ）の如くストッパ１６が弾性的に元形状に復帰して突出部１６ａが架材１４ｄの下側に係合するようになる。
【００３４】
便座ボックス２を浮上させるに当っては、まず、図１（ｂ）のように把手部材５を凹所６から引き起す。これにより、図５（ｃ）のようにストッパ１６によるフロントベースプレート３ａの浮上阻止状態が解除される。次いで、この把手部材５に手を掛けて引き上げることにより、フロントベースプレート３ａ及びカバー３ｂが上昇する。また、便座照明３ｇが点灯する。これにより、浮上した便座ボックス２の前部の下側スペース（下側領域）Ｓが照明される。このように下側領域Ｓが明るく照らされるので、該下側領域Ｓに臨む便器本体１の上面や、フロントベースプレート３ａの下面等を容易に清掃することができる。
【００３５】
なお、図示はしないが、浮上ユニット１０には、上昇したフロントベースプレート３ａを軽くラッチするラッチ片及びラッチバネが設けられており、把手部材５から手を離してもフロントベースプレート３ａが下降することはない。
【００３６】
カバー３ｂを下向きにやや力を込めて押すと、このラッチが解除され、該カバー３ｂ及びフロントベースプレート３ａが下降する。フロントベースプレート３ａ及びカバー３ｂが下降した後、把手部材５を倒すことにより、図１（ａ）の状態に復帰すると共に、図５（ｂ）の通りストッパ１６によってフロントベースプレート３ａの浮上が阻止されるようになる。
【００３７】
この実施の形態では、ガイド本体１４ｃ，１４ｃに係合したスライダ３ｄにストッパ１６が設けられており、このストッパ１６によって該スライダ３ｄの上方移動が阻止されることによりフロントベースプレート３ａの浮上が阻止される構成となっているので、該フロントベースプレート３ａ及びカバー３ｂの浮上を確実に阻止することができる。
【００３８】
これらのスライダ３ｄ及びガイド本体１４ｃ，１４ｃは、それ自体が精度良く構成されているため、フロントベースプレート３ａが下降した場合には確実にストッパ１６が架材１４ｄに係合するようになる。このようにスライダ３ｄ及びガイド本体１４ｃ，１４ｃからなるガイド装置にストッパ１６を設けたことにより、これら以外のフロントベースプレート３ａ及びカバー３ｂ（昇降メンバ）やリアベースプレート４ａ（固定メンバ）等の寸法精度、組立精度を緩和することができる。
【００３９】
また、この実施の形態では、該ストッパ１６は、長手方向の途中部分に突出部１６ａが設けられた板バネ状部材であり、構造が極めて簡易である。
【００４０】
この実施の形態では、フロントベースプレート３ａの浮上阻止状態を解除操作する操作手段としての把手部材５がカバー３ｂの上面に設けられているので、フロントベースプレート３ａの浮上阻止状態解除操作を容易に行うことができる。また、このように把手部材５がカバー３ｂの上面に設けられていることにより、片手で容易に便座ボックス２を浮上させることができる。この把手部材５は、普段は倒して凹所６内に収容しておくことができ、カバー３ｂ上に無用な突出部が存在しない。
【００４１】
なお、把手部材はカバー３ｂの側面に配置されてもよい。
【００４２】
以下に、図６〜８を参照して別の実施の形態について説明する。
【００４３】
図６（ａ）は別の実施の形態に係る便器上面設備の便座ボックスと操作部カバーとの分解斜視図であり、図６（ｂ）は該操作部カバーを取り外した状態における斜視図である。図７（ａ），（ｂ）は、それぞれフロントベースプレート浮上阻止時及び浮上時におけるガイド装置の斜視図である。また、図８は、このガイド装置のフレームとストッパとの分解斜視図である。
【００４４】
上記実施の形態では、浮上ユニット１０は、板バネよりなるストッパ１６を備えているが、この実施の形態の浮上ユニット１０Ａでは、キー状のストッパ２０が設けられている。
【００４５】
このストッパ２０は、図７，８に示すように、上下方向に延在した細長い略長方形板状のキー片部２０ａと、上下方向に延在しており、下端側が該キー片部２０ａの上端側に連なった軸部２０ｂと、該軸部２０ｂの上端側に固着されたハンドル２０ｃとを有している。該キー片部２０ａの幅は、軸部２０ｂの直径よりも大きい。該軸部２０ｂは、キー片部２０ａの上側辺縁の該幅方向中間付近に連なっている。
【００４６】
この軸部２０ｂの上端側は、便座ボックス２のカバー３ｂの上面に設けられた軸部挿通口（図示略）に挿通され上方に突出している。この軸部２０ｂの上端に固着されたハンドル２０ｃは、該カバー３ｂの上側（外部）に配置されている。この実施の形態では、カバー３ｂの上面に凹所７が設けられており、ハンドル２０ｃはこの凹所７内に収容されている。この凹所７を覆うように、該凹所７に着脱可能にカバー８が装着されている。
【００４７】
フレーム１４の架材１４ｄには、このストッパ２０のキー片部２０ａが差し込まれる略々スリット状のキー片部挿通口２２が設けられている。該キー片部挿通口２２は、その長手方向の中央付近に、軸部２０ｂの通過を許容する円形孔部２２ａを有している。
【００４８】
該キー片部２０ａの長さは、フロントベースプレート３ａが下降限まで下降している状態におけるスライダ３ｄの上面と架材１４ｄの下面との間の間隔と同等か、又はこの間隔よりもごく僅かに小さいものとなっている。
【００４９】
フロントベースプレート３ａが下降限まで下降している状態においては、該キー片部２０ａの全体がスライダ３ｄの上面と架材１４ｄとの間に介在し、軸部２０ｂの下端側が円形孔部２２ｂ内に配置された状態となる。この状態において、ハンドル２０ｃを操作してストッパ２０を軸部２０ｂの軸心回りに回転させると、図７（ａ）の通り、該キー片部２０ａの幅方向がキー片部挿通口２２の延在方向と交叉方向になり、該キー片部２０ａがキー片部挿通口２２から抜け出し不能となる。これにより、スライダ３ｄが上方へ移動し得なくなり、フロントベースプレート３ａの浮上が阻止される。
【００５０】
図７（ａ）の状態から、図７（ｂ）のようにキー片部２０ａの上側辺縁の延在方向とキー片部挿通口２２の延在方向とが同一方向となるまでハンドル２０ｃを逆方向に回転させることにより、該キー片部２０ａがキー片部挿通口２２から抜け出し可能となる。この状態にあっては、スライダ３ｄが上方へ移動しようとしたときには、キー片部２０ａが該スライダ３ｄに押し上げられるようにしてキー片部挿通口２２から抜け出し、該スライダ３ｄの上方移動が許容されるようになる。
【００５１】
なお、この実施の形態では、ハンドル２０ｃの上面に設けられた指掛り又は手掛りとしての凸条２０ｄは、ハンドル２０ｃの回転位相を視認し得るように、該ハンドル２０ｃの直径方向に延在している。
【００５２】
この便器上面設備のその他の構成は図１〜５の実施の形態と同様となっており、図６〜８において図１〜５と同一符号は同一部分を示している。
【００５３】
便座ボックス２を浮上させるに当っては、まず、凹所７に装着されたカバー８を取り外し、この凹所７内のハンドル２０ｃを約９０°回転させる。次いで、便座ボックス２のカバー３ｂを両手で抱えて引き上げることにより、該便座ボックス２が上昇する。
【００５４】
また、カバー３ｂを下降させ後、ストッパ２０のハンドル２０ｃを９０°回転させることにより、該ストッパ２０によってフロントベースプレート３ａの浮上が阻止されるようになる。その後、カバー８を凹所７に装着する。
【００５５】
このように、この実施の形態では、スライダ３ｄと架材１４ｄとの間にキー片部２０ａを介在させることによりカバー３ｂの浮上を確実に阻止することができる。
【００５６】
この実施の形態では、ストッパ２０のハンドル２０ｃを便座ボックス２のカバー３ｂの上面に配置しているので、フロントベースプレート３ａの浮上阻止状態解除操作を容易に行うことができる。また、このハンドル２０ｃは凹所７に収容されており、普段は、該凹所７を覆うようにカバー８が装着されているので、便器上面設備の美観を損うことがないと共に、ストッパ２０の誤操作や悪戯等も防止することができる。
【００５７】
なお、この実施の形態でも、カバー３ｂに、カバー３ｂを引き上げる際の手掛りとして把手部材を設けてもよい。
【００５８】
上記実施の形態では便器上面設備は便座ボックスであるが、タンクカバーであってもよい。便座ボックスやタンクカバーの形状、大きさは特に限定されるものではない。便座ボックスやタンクカバーは、前部のみが昇降するものであってもよく、前部から後部も含めて昇降するものであってもよい。
【図面の簡単な説明】
【００５９】
【図１】実施の形態に係る便器上面設備を備えた洋風便器の斜視図である。
【図２】図１の洋風便器の側面図である。
【図３】図１の便器上面設備の浮上ユニットの斜視図である。
【図４】図３と反対側から見た斜視図である。
【図５】図１の便器上面設備のストッパの構成図である。
【図６】別の実施の形態に係る便器上面設備を備えた洋風便器の斜視図である。
【図７】図６の便器上面設備の浮上ユニットの斜視図である。
【図８】図６の便器上面設備の浮上ユニットとストッパとの分解斜視図である。
【符号の説明】
【００６０】
２  便座ボックス
３ａ  フロントベースプレート
３ｂ  （便座ボックスの）カバー
３ｄ  スライダ
４ａ  リアベースプレート
５  把手部材
６，７  凹所
８  （操作部の）カバー
１０，１０Ａ  浮上ユニット
１４ｃ  ガイド本体
１６  ストッパ
１６ａ  突出部
１８  カム
２０  ストッパ
２０ａ  キー片部
２０ｂ  軸部
２０ｃ  ハンドル
２２  キー片部挿通口
【図１】
2005068819.tif 000003
【図２】
2005068819.tif 000004
【図３】
2005068819.tif 000005
【図４】
2005068819.tif 000006
【図５】
2005068819.tif 000007
【図６】
2005068819.tif 000008
【図７】
2005068819.tif 000009
【図８】
2005068819.tif 000010